(57)【特許請求の範囲】
【請求項１】
各々のシステムキャリアが前記キャリアのまわりの所定のバンド幅における信号送信を提供するマルチシステムキャリア信号の送信のために構成されたＬＴＥ無線通信ネットワークにおいて移動体端末（７０１）と基地局との間のデータ送信をスケジューリングする方法であって、前記方法は、
前記基地局から利用可能なシステムキャリアを示す情報を前記移動体端末（７０１）において受信し（１０１）、前記移動体端末（７０１）から前記基地局に不連続なシステムキャリアを処理するための前記移動体端末の能力を示す情報を送信する（７０２，７０３）工程と、
前記移動体端末（７０１）において、不連続なシステムキャリアを処理するための前記移動体端末の現在の能力を示す少なくとも１つの動的パラメータを検出する（１０２）工程と、
前記移動体端末（７０１）において、前記少なくとも１つの動的パラメータから不連続なシステムキャリアを処理するための前記移動体端末の能力が低下した状況が発生したかどうかを判断する工程（１０３）と、
もし、そのような状況が発生したなら、前記移動体端末（７０１）から前記基地局に接続解放要求を送信し、前記移動体端末を強制的にアイドルモードに移行する（１０４）工程と、
前記移動体端末（７０１）から前記基地局に、接続セットアップ要求と不連続なシステムキャリアを処理するための前記移動体端末の低下した能力を示す情報とを送信し、前記低下した能力に従って少なくとも１つのシステムキャリアを用いて新しい接続セットアップを行う（１０５）工程とを有することを特徴とする方法。
【請求項２】
前記移動体端末の電池の充電レベルを示すパラメータと、
前記移動体端末からの所定の品質レベルのデータ転送を達成するために必要な前記移動体端末からの送信電力レベルを示すパラメータと、
前記移動体端末におけるベースバンド処理能力のレベルを示すパラメータと、
からなる複数のパラメータのグループから前記少なくとも１つの動的パラメータを選択する工程をさらに有することを特徴とする請求項１に記載の方法。
【請求項３】
所定の閾値を超える前記複数のパラメータのレベルの１つを契機とするシステムキャリアイベントの発生を検出する工程と、
前記システムキャリアイベントが検出されたとき、不連続なシステムキャリアを処理するための低下した能力を伴う状況が発生したかどうかを判断する工程とをさらに有することを特徴とする請求項２に記載の方法。
【請求項４】
前記検出されたシステムキャリアイベントに依存して、不連続なシステムキャリアを処理するための前記移動体端末の低下した能力を判断する工程をさらに有することを特徴とする請求項３に記載の方法。
【請求項５】
前記低下した能力は、ルックアップテーブルにより前記検出されたシステムキャリアイベントに依存して判断されることを特徴とする請求項４に記載の方法。
【請求項６】
前記接続解放要求と、前記接続セットアップ要求と、前記移動体端末の低下した能力を示す情報とを送信する工程は、無線資源制御（ＲＲＣ）シグナリングプロトコルを用いることを特徴とする請求項１乃至５のいずれか１項に記載の方法。
【請求項７】
各々のシステムキャリアが前記キャリアのまわりの所定のバンド幅における信号送信を提供するマルチシステムキャリア信号の送信のために構成されたＬＴＥ無線通信ネットワークにおいて移動体端末（７０１）と基地局との間のデータ送信をスケジューリングする前記移動体端末であって、前記移動体端末は、
前記基地局から利用可能なシステムキャリアを示す情報を受信し（７０３，７０４，７０５）、前記基地局に不連続なシステムキャリアを処理するための前記移動体端末の能力を示す情報を送信し（７０２，７０３）、
不連続なシステムキャリアを処理するための前記移動体端末の現在の能力を示す少なくとも１つの動的パラメータを検出し（７０６）、
前記少なくとも１つの動的パラメータから不連続なシステムキャリアを処理するための前記移動体端末の能力が低下した状況が発生したかどうかを判断し（７０７）、
もし、そのような状況が発生したなら、前記基地局に接続解放要求を送信し、強制的にアイドルモードへと移行し（７０２，７０３）、
前記基地局に、接続セットアップ要求と不連続なシステムキャリアを処理するための前記移動体端末の低下した能力を示す情報とを送信し、前記低下した能力に従って少なくとも１つのシステムキャリアを用いて新しい接続セットアップを行う（７０２，７０３）よう構成されることを特徴とする移動体端末。
【請求項８】
前記移動体端末はさらに、
前記移動体端末の電池の充電レベルを示すパラメータと、
前記移動体端末からの所定の品質レベルのデータ転送を達成するために必要な前記移動体端末からの送信電力レベルを示すパラメータと、
前記移動体端末におけるベースバンド処理能力のレベルを示すパラメータと、
からなる複数のパラメータのグループから前記少なくとも１つの動的パラメータを選択するように構成されることを特徴とする請求項７に記載の移動体端末。
【請求項９】
前記移動体端末はさらに、
所定の閾値を超える前記複数のパラメータのレベルの１つを契機とするシステムキャリアイベントの発生を検出し、
前記システムキャリアイベントが検出されたとき、不連続なシステムキャリアを処理するための低下した能力を伴う状況が発生したかどうかを判断するよう構成されることを特徴とする請求項８に記載の移動体端末。
【請求項１０】
前記移動体端末はさらに、
前記検出されたシステムキャリアイベントに依存して、不連続なシステムキャリアを処理するための前記移動体端末の低下した能力を判断するよう構成されることを特徴とする請求項９に記載の移動体端末。
【請求項１１】
前記移動体端末はさらに、
前記低下した能力を、ルックアップテーブルにより前記検出されたシステムキャリアイベントに依存して判断するよう構成されることを特徴とする請求項１０に記載の移動体端末。
【請求項１２】
前記移動体端末はさらに、
無線資源制御（ＲＲＣ）シグナリングプロトコルを用いて、前記接続解放要求と前記接続セットアップ要求と前記移動体端末の低下した能力を示す情報とを送信するよう構成されることを特徴とする請求項７乃至１１のいずれか１項に記載の移動体端末。
【請求項１３】
コンピュータ上で実行されるとき、請求項１乃至６のいずれか１項に記載の工程を実行するプログラムコードを有するコンピュータプログラム。
【請求項１４】
コンピュータ上で実行されるとき、請求項１乃至６のいずれか１項に記載の方法を実行するプログラムコードが格納されたコンピュータ可読媒体。
【発明の詳細な説明】
【技術分野】
【０００１】
本発明は、独立にスケジュールされた複数のコンポーネントキャリア信号の送信のために構成された無線通信ネットワークにおける移動体端末と基地局との間のデータ送信のスケジューリングの方法及び装置に関する。
【背景技術】
【０００２】
どの世代でも無線通信システムは、より高速なデータ速度により特徴づけられている。データ速度におけるある向上は、変調や符号化などの改良に属するものであるかもしれないが、データ速度の顕著な向上は概してより広いシステムバンド幅を必要としている。例えば、国際移動体通信（ＩＭＴ）アドバンスト（提案されている第４世代（４Ｇ）無線通信システム）は、最大１００ＭＨｚのバンド幅について述べている。しかしながら、無線スペクトラムは制限のある資源であり、多くの運用者やシステムは制限された無線資源を得るために競争しているので、連続した１００ＭＨｚのスペクトラムがそのようなシステムのために自由になることはおそらくないであろう。
【０００３】
制限された、小さな片になったスペクトラムにおいて、増大するバンド幅要求を満たす１つのアプローチは、不連続のスペクトラムをアグリゲートする（寄せ集める）ことである。ベースバンドの観点からすれば、これは最大で１Ｇビット／秒、つまり、４Ｇシステムに対する性能要求をサポートするために十分にシステムバンド幅を効率的に増加させることができる。スペクトラムの不連続部分においてデータを送信することはまた、スペクトラム利用が現存するスペクトラムの利用と地理的な位置に適合しているので、柔軟性を導入することにもなる。さらに、異なる変調方式と符号化方式とが、都合よくスペクトラムの異なる部分に適用されるかもしれない。
【０００４】
不連続のスペクトラムをサポートするために、３ＧＰＰロングタームエボルーション（ＬＴＥ）のような現在のセルラシステムの可能性のある進歩は、マルチコンポーネントキャリア或いはマルチチャネルを導入することである。そのようなマルチチャネル或いはマルチコンポーネントキャリアシステムにおいて、スペクトラムの分離した部分部分がＬＴＥシステムとして考慮されるかもしれない。マルチチャネル送信はおそらく、ＩＴＵ  ＩＭＴ−Ａｄｖａｎｃｅｄの能力を目標とする３Ｇ  ＬＴＥの更なるリリースの主要な部分となるであろう。そのようなシステムにおいて用いる移動体端末は、異なるバンド幅の複数のコンポーネントキャリアを受信したり、異なるキャリア周波数で送信することが可能であろう。また、高速パケットアクセス（ＨＳＰＡ）システムは、例えば、デュアルキャリア（ダウンリンク）とデュアルセル（アップリンク）のような複数のバンドを用いることができる。次に、一般的な用語“マルチシステムキャリア”が用いられる。
【０００５】
特許文献１は、複数のアクセス端末の間で複数の無線リソースが分配されるマルチキャリア通信システムを開示している。アクセス端末に割り当てられるキャリアは、アクセス端末から受信したスケジューリング情報に基づいてネットワークにより決定される。そのスケジューリング情報は、データ要求、サービス品質要求、利用可能な送信電力の余裕、アクセス端末のロケーション、或いは、そのアクセス端末に関係したハードウェア制限などを含むことができる。この開示は、不連続なバンド幅の利用に関係したものではない。
【先行技術文献】
【特許文献】
【０００６】
【特許文献１】米国特許出願公開第２００７／００７０９０号公報
【発明の概要】
【発明が解決しようとする課題】
【０００７】
複数の不連続なシステムキャリアをサポートする移動体端末の設計は、つまらないタスクではない。アグリゲートしたスペクトラムを用いる手法は、そのような移動体端末のための無線受信器のアーキテクチュアが、連続したシステムバンド幅だけを受信可能な端末よりも、より複雑なものとなることを意味している。その理由の１つは、フロントエンド無線部が、スペクトラムの“チャンク（塊）”の間においてブロッキング信号を抑止できる必要がある点にある。異なる種類の無線アーキテクチュアがこの課題を扱うために用いられる。しかしながら、それらは電流消費という面から標準的な連続するシステムキャリアの受信器と比較して欠点を抱えている。それ故に、移動体端末のフロントエンドの受信器設計における挑戦的な課題を考慮した効率的な不連続マルチキャリアシステムを設計する必要がある。
【課題を解決するための手段】
【０００８】
それ故に、本発明の実施例の目的は、より効率的であり、不連続なシステムキャリアを処理するための移動体端末の現在の能力を考慮に入れた、データ送信をスケジュールする柔軟な方法を提供することにある。
【０００９】
本発明の実施例に従えば、上記目的は、各々のシステムキャリアが前記キャリアのまわりの所定のバンド幅における信号送信を提供するマルチシステムキャリア信号の送信のために構成された無線通信ネットワークにおいて移動体端末と基地局との間のデータ送信をスケジューリングする方法を用いることにより達成される。
【００１０】
前記方法は、前記基地局から利用可能なシステムキャリアを示す情報を前記移動体端末において受信し、前記移動体端末から前記基地局に不連続なシステムキャリアを有するコンポーネントキャリアを処理するための前記移動体端末の能力を示す情報を送信する工程と、前記移動体端末において、不連続なシステムキャリアを処理するための前記移動体端末の現在の能力を示す少なくとも１つの動的パラメータを検出する工程と、前記移動体端末において、前記少なくとも１つの動的パラメータから、不連続なシステムキャリアを処理するための前記移動体端末の能力が変化した状況が発生したかどうかを判断する工程と、もし、そのような状況が発生したなら、前記移動体端末から前記基地局に接続解放要求を送信する工程と、前記移動体端末から前記基地局に、接続セットアップ要求と不連続なシステムキャリアを処理するための前記移動体端末の変化した能力を示す情報とを送信する工程とを有すると良い。
【００１１】
接続解放と、それから前記動的パラメータから判断された前記変化した状況を反映させる別の能力を用いて接続セットアップを行うことにより、基地局は現在の状況において移動体端末により処理されるシステムキャリアを割り当てることが保証される。
【００１２】
いくつかの実施例では、前記システムキャリアの信号は、第３世代ロングタームエボルーションシステム或いは高速パケットアクセスシステムにおいて送信されると良い。
【００１３】
１実施例では、前記方法はさらに、前記移動体端末の電池の充電レベルを示すパラメータと、前記移動体端末からの所定の品質レベルのデータ転送を達成するために必要な前記移動体端末からの送信電力レベルを示すパラメータと、前記移動体端末におけるベースバンド処理能力のレベルを示すパラメータとからなる複数のパラメータのグループから前記少なくとも１つのパラメータを選択する工程を有する。
【００１４】
前記移動体端末の電池の充電レベルを示すパラメータに関して前記移動体端末に複数のシステムキャリアを制御して使用させることにより、より長い電池の寿命が達成される。このことは、電池の充電レベルが低くなったとき、多数のコンポーネントキャリアの使用を制限することによりなされ、これにより複数のコンポーネントキャリアをサポートするために必要な電力を節約することができる。さらに、電池が低電圧において複数のシステムキャリアをサポートする必要がないので、移動体端末にはよりシンプルなデザインを用いることができる。
【００１５】
パラメータに移動体端末からの送信電力レベルを示すようにさせることにより、所定の品質レベルのデータ転送を達成するために、移動体端末は高電力での送信時に複数のシステムキャリアをサポートする必要はないので、移動体端末にはよりシンプルなデザインを用いることができる。このことは、移動体端末は高電力での送信時に用いられるシステムキャリアの数を制限することにより達成される。
【００１６】
パラメータに移動体端末におけるベースバンド処理能力のレベルを示すようにさせることにより、移動体端末における処理資源のより効率的な使用が達成できる。このことは、移動体端末の処理資源がほとんどないときに、用いられるシステムキャリアの数を制限することにより達成される。
【００１７】
１実施例では、前記方法はさらに、所定の閾値を超える前記複数のパラメータのレベルの１つを契機とするシステムキャリアイベントの発生を検出する工程と、前記システムキャリアイベントが検出されたとき、不連続なシステムキャリアを処理するための変化した能力を伴う状況が発生したかどうかを判断する工程とを有する。
【００１８】
複数のパラメータレベルの１つが所定の閾値を越えることを契機としたイベントに関して複数のシステムキャリアの使用を制御することにより、移動体端末に上記方法の簡単な実装が可能になる。
【００１９】
１実施例では、前記方法はさらに、前記検出されたシステムキャリアイベントに依存して不連続なシステムキャリアを処理するための前記移動体端末の変化した能力を判断する工程を有する。
【００２０】
１実施例では、前記変化した能力は、ルックアップテーブルにより前記検出されたシステムキャリアイベントに依存して判断される。
【００２１】
１実施例では、前記接続解放要求と、前記接続セットアップ要求と、前記移動体端末の変化した能力を示す情報とを送信する工程は、無線資源制御（ＲＲＣ）シグナリングプロトコルを用いる。
【００２２】
本発明のいくつかの実施例は、各々のシステムキャリアが前記キャリアのまわりの所定のバンド幅における信号送信を提供するマルチシステムキャリア信号の送信のために構成された無線通信ネットワークにおいて、移動体端末と基地局との間のデータ送信をスケジューリングするように構成された移動体端末に関する。その移動体端末は、前記基地局から利用可能なシステムキャリアを示す情報を受信し、前記基地局に不連続なシステムキャリアを処理するための前記移動体端末の能力を示す情報を送信し、不連続なシステムキャリアを処理するための前記移動体端末の現在の能力を示す少なくとも１つの動的パラメータを検出し、前記少なくとも１つの動的パラメータから、不連続なシステムキャリアを処理するための前記移動体端末の能力が変化した状況が発生したかどうかを判断し、もし、そのような状況が発生したなら、前記基地局に接続解放要求を送信し、前記基地局に、接続セットアップ要求と不連続なシステムキャリアを処理するための前記移動体端末の変化した能力を示す情報とを送信するよう構成される。
【００２３】
上記方法に関して上述した事項に対応する実施例はまた、移動体端末に対しても適用できる。
【００２４】
本発明のいくつかの実施例は、上述の方法を実行するプログラムコード手段を備えたコンピュータプログラム及びコンピュータ可読媒体に関するものである。
【００２５】
次に、本発明の実施例に関して添付図面を参照してより完全に説明する。
【図面の簡単な説明】
【００２６】
【図１】複数のコンポーネントキャリアを示す周波数をプロットした図である。
【図２ａ】低電力で複数のコンポーネントキャリアを送信するときのスペクトラムのリーケージを示す周波数をプロットした図である。
【図２ｂ】高電力で複数のコンポーネントキャリアを送信するときのスペクトラムのリーケージを示す周波数をプロットした図である。
【図３ａ】フィルタ前の２つのコンポーネントキャリアの間に位置する低エネルギー干渉信号の振幅を示す周波数をプロットした図である。
【図３ｂ】フィルタ後の２つのコンポーネントキャリアの間に位置する低エネルギー干渉信号の振幅を示す周波数をプロットした図である。
【図４ａ】フィルタ前の２つのコンポーネントキャリアの間に位置する高エネルギー干渉信号の振幅を示す周波数をプロットした図である。
【図４ｂ】フィルタ後の２つのコンポーネントキャリアの間に位置する高エネルギー干渉信号の振幅を示す周波数をプロットした図である。
【図５】移動体端末と基地局との間のデータ送信をスケジュールする方法のフローチャートである。
【図６】移動体端末の機能ブロック図である。
【発明を実施するための形態】
【００２７】
無線通信ネットワークにおいて、例えば、最大１００ＭＨｚのより大きなバンド幅を達成するために、不連続なスペクトラムをアグリゲートすることができる。図１は、より大きなバンド幅を達成するためのシステムキャリアのアグリゲーションの例を描いている。なお、いちばん左のシステムキャリアは、他のシステムキャリアに対して十分な周波数間隔がある。このことは、広いキャリア間隔のために、キャリア間にはごくわずかな干渉しかないことや、ごくわずかな干渉を生じさせる原因としかならないことを示している。しかしながら、右側の２つのシステムキャリアはそれほど大きな周波数間隔はない。
【００２８】
ここで検討するようなスペクトラムのアグリゲーションがある、或いは、マルチチャネルシステムにおいて、連続する、或いは、不連続ないくつかの周波数バンドは、１つの移動体端末との通信のために割当てられる。そのバンド内での変調とアクセスフォーマットは、どんなものでも良く、例えば、直交周波数分割多重（ＯＦＤＭ）、シングルキャリア周波数分割多重（ＳＣ−ＦＤＭＡ）、符号分割多元接続（ＣＤＭＡ）など、どんな種類でも良い。この適用例では、そのようなシステムを“マルチプル・コンポーネント・キャリア・システム”或いは“マルチプル・システム・キャリア・システム”と呼ぶ。この実施例の文脈では、１つのチャネルは、１つの“コンポーネントキャリア”或いは１つの“システムキャリア”として言及される。なおまた、この種のシステムはいくつかの出版物では“マルチキャリア”と呼ばれるが、ここではコンポーネントキャリアやシステムキャリアという用語が、ＯＦＤＭのサブキャリア（副搬送波）との混乱を避けるために用いられる。
【００２９】
次に、第３世代ロングタームエボルーション（３Ｇ  ＬＴＥ）システムが本発明を説明するための例として用いられる。なおしかしながら、本発明はそのようなシステムに制限されるものではなく、他のシステムでも同様に用いられる。本発明が用いられる他のシステムの一例は、高速パケットアクセス（ＨＳＰＡ）システムであり、そのシステムでは、ダウンリンクでデュアルキャリアが用いられ、アップリンクではデュアルセルが用いられる。新しいリリースでは、ＨＳＰＡは４キャリア或いは４セルＨＳＰＡに拡張される。
【００３０】
従って、システムキャリアは３Ｇ  ＬＴＥコンポーネントキャリアであっても良いし、或いは、ＨＳＰＡデュアルキャリアであっても良い。なお、非デュアルセルＨＳＰＡ（即ち、シングルＨＳＰＡキャリア）対応の端末はそのようなシステム（ＨＳＰＡ）キャリアで接続可能であり、非コンポーネントキャリアＬＴＥ（即ち、シングルキャリアＬＴＥ）端末はそのようなシステム（ＬＴＥ）キャリアで接続可能である。
【００３１】
３Ｇ  ＬＴＥは“コンポーネントキャリア”という用語を用いているので、この用語が、より一般的な用語“システムキャリア”の代わりに、以下の説明では便宜上用いられる。
【００３２】
本発明は、ある種の過負荷の状況がある場合に、マルチコンポーネントキャリアのサポートを用いて問題を扱う方法及び装置について説明している。例えば、電池の状況、必要な送信電力、リアルタイム処理の問題などに依存して、移動体端末がその移動体端末の能力に従ってマルチコンポーネントキャリアをサポートできない状況があり得る。アップリンクにおいて、例えば、スペクトラム・リーケージ要求を満たすことはできないが、ダウンリンクでは、ブロッキング要求を満たすことができない状況がある。異なる種類の無線アーキテクチュアがこの問題を扱うために用いられるが、電流消費の面から標準的な連続的なシステムバンド幅を扱う受信器と比較して、これらは通常欠点を抱えている。
【００３３】
図２ａと図２ｂとはマルチコンポーネントキャリアで移動体端末からアップリンク送信を行う状況を描いている。
【００３４】
図２ａは、相対的に低電力で移動体端末から基地局へ送信するときの周波数のリーケージを示している。送信電力のレベルは通常、所定の品質レベル要求に基づいて選択される。クローズド電力ループは一般的に送信電力を調整するために用いられる。そのループは、基地局において、送信の品質レベルを監視することにより機能する。もし、その品質レベルが所定の閾値未満に低下したなら、制御信号が基地局から移動体端末に送信され、次に移動体端末は送信電力を増加させる。逆に、もし、その品質が所定の閾値以上に上昇したなら、基地局は移動体端末に信号を送って、移動体端末の送信電力を低下させる。
【００３５】
２つのコンポーネントキャリア３０１、３０２が示されている。送信器とＲＦ電力増幅器の非線形性は変調間歪を生み出す結果となり、このことが周波数リーケージにつながる。他のユーザが使用されたコンポーネントキャリアのバンド幅の外側に位置するバンド幅を用いることを可能にするために、厳密な周波数リーケージ要求が移動体端末に適用される。参照番号３０３は２つのコンポーネントキャリア３０１、３０２の周波数リーケージを示しており、参照番号３０４は移動体ネットワークのリーケージ要求を示している。２つのコンポーネントキャリア３０１、３０２の周波数リーケージ３０３は、キャリアの送信電力が小さいときにはリーケージ要求３０４未満である。
【００３６】
図２ｂは、高電力で移動体端末から基地局に送信するときの周波数リーケージを示している。再び、２つの不連続なコンポーネントキャリア３０５、３０６が示されている。それらは、図２ａの２つのコンポーネントキャリア３０１、３０２と同じ周波数に位置している。しかしながら、送信電力の増加のために、その振幅はより大きなものとなっている。２つのキャリアのスペクトラムリーケージ３０７は今や、移動体ネットワークのスペクトラムリーケージ要求を超えるものとなっている。より線形な送信器とＲＦ電力増幅器とを用いることはこれを緩和するための可能な方法である。しかしながら、線形性の高い構成部品は一般により多くの電力を消費し、移動体端末の複雑さと費用とを増やすものとなる。
【００３７】
従って、個々のキャリアの必要な送信電力に基づいてコンポーネントキャリアの数を制御することには利点がある。このことを行う１つの方法は、送信電力が高いとき、即ち、所定の閾値を越えるとき、用いるコンポーネントキャリアの数を減らすことである。或いは、狭いバンド幅を用いたコンポーネントキャリアの使用を、高電力での送信時には制限するようにしても良い。これにより、費用のかかるハードウェアの必要なく、納得できる電力消費で、移動体端末におけるマルチキャリアサポートが可能になる。
【００３８】
同様に、移動体端末における電池の充電状態に基づいて、コンポーネントキャリアの数を制御することには利点がある。このことは、電池の充電状態が低レベルにあるとき、用いられるコンポーネントキャリアの数を減少させることによりなされるかもしれない。これにより、移動体端末に複雑で高価なアーキテクチュアを必要とせずに、マルチキャリアサポートと電池の長寿命化の両方を達成する。
【００３９】
また、用いられるコンポーネントキャリアの数は動的パラメータとして機能する電力管理システムにより制御されても良い。電力管理システムはマルチコンポーネントキャリアをサポートする電力消費を推定することにより機能し、推定された電力消費に関係して使用するキャリアの数を決定することができる。このことは、マルチコンポーネントキャリアをサポートする電力消費が高いときには、用いるキャリアコンポーネントの数を制限することによりなされると良い。移動体端末における電池の充電状態も、電力管理システムへの入力として用いられても良い。電力管理システムを用いることにより、電池の長寿命化が達成される。これにより、これらをサポートする電力消費が相対的に小さい場合にのみ、マルチコンポーネントキャリアがサポートされるかもしれない。
【００４０】
図３ａ、図３ｂ、図４ａ、図４ｂは、マルチコンポーネントキャリアで移動体端末へのダウンリンク送信を行う状況を図示している。
【００４１】
図３ａは、移動体端末におけるフィルタ処理前の２つのコンポーネントキャリア５０１、５０２の間に位置する相対的に低いエネルギーでの干渉信号５０２の周波数プロットを示している。参照番号５０４は、干渉信号を遮断するための移動体端末におけるフィルタの能力を示す閾値である。その閾値は、移動体端末におけるフィルタの品質により決定される。干渉信号５０２は閾値５０４より小さい振幅をもつ。図３ｂは、移動体端末におけるフィルタ処理後の、図３ａで描いたのと同じ状況の周波数プロットを示している。干渉信号の電力が影響のないレベルにまで最小化され、サービスの良好な品質が、２つのコンポーネントキャリア５０１、５０２に対して達成される。
【００４２】
図４ａは移動体端末におけるフィルタ処理前の２つのコンポーネントキャリア６０１、６０２の間に位置する高いエネルギーでの干渉信号６０２の周波数プロットを示す。参照番号６０４は、干渉信号を遮断するための移動体端末におけるフィルタの能力を示す閾値である。その干渉信号の振幅はこの状況では閾値６０４よりも大きい。図４ｂは移動体端末におけるフィルタ処理後の、図４ａで描いたのと同じ状況の周波数プロットを示している。干渉信号の電力は低くなっているが、２つのコンポーネントキャリア６０１、６０２の振幅と比較して相対的に大きなものに留まっている。その結果、キャリアのサービス品質は良くないものとなる。これは、高い閾値をもつ高性能のフィルタを用いることにより修正できる。しかしながら、再び言うが、このことは全電力消費を増加させ、装置の全体コストを上昇させる。
【００４３】
従って、干渉信号の電力に基づいて用いるコンポーネントキャリアの数を制御することには利点がある。このことは、高いエネルギーの干渉信号が存在するとき、マルチキャリアコンポーネントの使用を制限することにより達成され、これにより、高いエネルギーでの干渉信号が存在しないたいていの一般的な場合に良好なマルチキャリアサポートを、高いエネルギーの干渉信号に対処するための費用のかかるハードウェアの必要なく達成できる。
【００４４】
移動体端末は単なる通信ツールから、可搬性のある全く実用的なコンピュータシステムへと変貌し、オーディオや動画アプリケーション、マップ、辞書、ゲームなどのような広範囲の異なるアプリケーションを備えている。このような進歩は移動体端末における処理能力の必要性を大きくした。マルチキャリアコンポーネントサポートはさらに移動体端末の全体的な処理負荷を大きくしている。
【００４５】
それ故に、マルチキャリアコンポーネントが用いられるとき、複雑なアプリケーションは処理が遅くなるかもしれず、その結果、ユーザ体験を魅力的ではないものにするかもしれない。従って、移動体端末の処理負荷に関係して用いるコンポーネントキャリアの数を制御することには利点がある。このことは複雑なアプリケーションを処理するときには、より少ない数のコンポーネントキャリアを用いることにより達成され、これにより複雑なアプリケーションの高速処理とユーザ体験を増すことを保証する。
【００４６】
図５は本発明の実施例のフローチャートを示す。ステップ１０１では、移動体端末はマルチコンポーネントキャリアネットワークノードに接続される。このことはセルサーチ手順を用いて達成される。それから、移動体端末はマルチコンポーネントキャリアセルの利用可能なコンポーネントキャリアの可能性に関係した情報を受信する。この情報は、コンポーネントキャリアのバンド幅とキャリア周波数に関係した情報を含む。利用可能なコンポーネントキャリアの数は、シングルキャリアコンポーネントだけが利用可能であるという特別な場合を含み、どんな数でも良い。それから、移動体端末は、マルチコンポーネントキャリアセルへのデータ送信、また、マルチコンポーネントキャリアセルからのデータ受信のために用いる利用可能なコンポーネントキャリアのサブセット、即ち、不連続なコンポーネントキャリアを扱うための移動体端末の能力を含む、マルチコンポーネントキャリアを扱う移動体端末の能力を判断し、この能力についてマルチコンポーネントキャリアセルに、通常は、標準的な無線資源制御（ＲＲＣ）シグナリングを介して通知する。その選択は、移動体端末の物理的資源に基づいていても良い。そのサブセットは正規のサブセットである必要はない。つまり、選択されたサブセットは、マルチキャリアセルから受信する可能性のある全てのコンポーネントキャリアを含んでいても良い。そのサブセットはまた、１つだけのコンポーネントキャリアを含むこともある。
【００４７】
次に、ステップ１０２では、移動体端末は不連続なコンポーネントキャリアを扱うための現在の能力を示す動的なパラメータをモニタし、その検出されたパラメータから、ステップ１０３では、不連続なコンポーネントキャリアを処理するための移動体端末の能力が変化した状況が発生したかどうか、即ち、コンポーネントキャリアサポートイベントが発生したかどうかを判断する。上述のように、そのようなイベント或いは状況は、移動体端末の電池の充電レベル、移動体端末からの送信電力、移動体端末の処理負荷、干渉信号のエネルギー、或いは、移動体端末のアプリケーションのデータ転送要求のようなパラメータに関係しているかもしれない。例えば、電池が少ない場合や高い送信電力が必要な場合には、移動体端末は、アップリンクとダウンリンクとの内の少なくともいずれかでマルチコンポーネントキャリア送信をサポートすることは難しいかもしれない。アップリンクでは、例えば、スペクトラムリーケージの要求を満たすことは難しいかもしれず、一方、ダウンリンクではブロッキング要求を満たすことは難しいかもしれない。別の例は、ベースバンドにおけるリアルタイム処理におけるある種の過負荷であるかもしれない。これにより、マルチコンポーネントキャリアによる大容量のダウンリンク受信がタイミングのミスマッチの面からリスクの高いものになるかもしれず、それは最終的に接続中断のリスクを生じさせるかもしれない。
【００４８】
コンポーネントキャリアイベントの発生は通常、動的パラメータの１つのレベルが所定の閾値を越えることが契機となる。なおしかし、所与のパラメータについて１つ以上の閾値があり、不連続なコンポーネントキャリアを処理するための能力を段階的に減らすことができる。同様に、コンポーネントキャリアイベントが、複数のパラメータの組み合わせがそれらの閾値を越えることが契機となっても良い。その組み合わせは次のパラメータのどんな組み合わせでも良い。そのパラメータとは、移動体端末の電池のレベル、移動体端末の送信電力、移動体端末の処理負荷、干渉信号のエネルギー、或いは、移動体端末のアプリケーションのデータ転送要求である。例えば、コンポーネントキャリアイベントは、電池の低レベルと高送信電力の要求との組み合わせが契機となっても良い。
【００４９】
もし、イベントがトリガされたなら、即ち、不連続なコンポーネントキャリアを処理するための能力が小さくなった状況が生じたなら、ステップ１０４で、移動体端末は接続解放を行う。即ち、移動体端末はアイドルモードになることを強制され、それから、ステップ１０５では、移動体端末の別の能力を用いて接続セットアップを行う。この新しい能力はまた、ただ１つのコンポーネントキャリアが用いられるという場合も含むかもしれない。接続セットアップ／接続解放は従来のプロトコルに従ってなされる。どの能力を選択するかは、トリガされるコンポーネントキャリアイベントに依存し、能力の情報に対応したそのようなイベントは、移動体端末のルックアップテーブルに格納される。それから、ステップ１０２における処理が続行する。（例えば、正常動作でもよいのだが）一度、新しいコンポーネントキャリアイベントがトリガされたなら、移動体端末は移動体の新しい端末能力での新しい接続解放と新しい接続セットアップを行う。新しい端末能力は、トリガされたコンポーネントキャリアイベントに従ったより高いもの（例えば、最大能力も可能）でも良いし、或いは、より低いものでも良い。
【００５０】
なお、ＬＴＥやＬＴＥ−ａｄｖａｎｃｅｄにおいては、高速の接続セットアップや接続解放プロトコルが導入されている（ＷＣＤＭＡ／ＨＳＰＡにおけるような秒単位のものではなく１００ミリ秒単位のものである）。過負荷状況において電力を節約し発熱を抑えるために、ＬＴＥやＬＴＥ−ａｄｖａｎｃｅｄにおいて、これらの高速の接続セットアップや接続解放プロトコルを用いることにより、サービスが中断するという面からのユーザ体験は少なくなり、同時に、その手順は標準化技術の変更を必要とするものでもないし、セルラシステムのスペクトラム効率性に害になるかもしれないアダプテーションメカニズムを必要とするものでもない。しかしながら、提案された解決策はまた、標準化技術の変更なく、ＨＳＰＡを含む現在のＷＣＤＭＡシステムでも使用可能である。しかしながら、この場合、接続セットアップは低速になり、ユーザにとってサービス中断が目に見えるものとなる。
【００５１】
図６は本発明の原理を用いた無線通信ネットワークにおいて移動体端末と基地局との間でのデータ送信をスケジュールするように構成された移動体端末７０１の機能ブロック図を示している。その移動体端末は、無線周波数信号を用いて基地局と通信するためのアンテナ７０２を有する。そのアンテナからの無線周波数信号は、受信部と送信部とを備える無線周波数ブロック７０３で受信され、その後、ベースバンド処理ブロック７０４で処理される。それから、基地局からの利用可能なコンポーネントキャリアを示す情報が判断され、利用可能コンポーネントキャリアユニット７０５に格納される。ブロック７０６では、移動体端末は不連続なコンポーネントキャリアを処理するための移動体端末の現在の能力を示す少なくとも１つの動的パラメータを検出する。そのパラメータは上述の通りである。
【００５２】
制御ブロック７０７は、少なくとも１つの動的パラメータから、不連続なコンポーネントキャリアを処理するための移動体端末の能力が変化した状況が発生したかどうかを判断する。上述のように、このことは通常、パラメータ値と所定の閾値とを比較することによりなされる。そのような状況が発生したと判断されたなら、制御ブロック７０７は接続解放要求を、次に接続セットアップ要求を他の能力とともに基地局に、ベースバンド処理ブロック７０４と無線周波数ブロック７０３の送信部を介して送信する。
【００５３】
本発明の種々の実施例について説明し図示したが、本発明はこれによって限定されるものではなく、以下に示す請求の範囲により規定される主題の範囲内にある他の方法によっても実施されるものである。
【図１】
0005666572.tif 000002
【図２ａ】
0005666572.tif 000003
【図２ｂ】
0005666572.tif 000004
【図３ａ】
0005666572.tif 000005
【図３ｂ】
0005666572.tif 000006
【図４ａ】
0005666572.tif 000007
【図４ｂ】
0005666572.tif 000008
【図５】
0005666572.tif 000009
【図６】
0005666572.tif 000010